【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
シングルチップ信号分割キャリアアグリゲーション受信機アーキテクチャを使用してマルチプルキャリア信号を受信するための方法であって、
一次アンテナを使用して第１の信号を受信することと、
一次同相／直交位相信号を取得するために、前記シングルチップ信号分割キャリアアグリゲーション受信機アーキテクチャにおけるトランシーバチップ上の一次受信機を通って前記第１の信号をルーティングすることと、
ＴＲｘ同相／直交位相信号を取得するために、前記トランシーバチップ上の三次受信機を通って前記第１の信号をルーティングすることと、ここで、前記一次および三次受信機を通って前記第１の信号をルーティングすることは、第１の信号分割ステージを通って前記第１の信号をルーティングすることをさらに備え、前記第１の信号分割ステージは、ソース低雑音増幅器およびターゲット低雑音増幅器を備え、スイッチが前記ソース低雑音増幅器と前記ターゲット低雑音増幅器との間で使用される、
二次アンテナを使用して第２の信号を受信することと、
二次同相／直交位相信号を取得するために、前記トランシーバチップ上の二次受信機を通って前記第２の信号をルーティングすることと、
ＱＲｘ同相／直交位相信号を取得するために、前記トランシーバチップ上の四次受信機を通って前記第２の信号をルーティングすることと、ここで、前記二次および四次受信機を通って前記第２の信号をルーティングすることは、第２の信号分割ステージを通って前記第２の信号をルーティングすることをさらに備え、前記第２の信号分割ステージは、ソース低雑音増幅器およびターゲット低雑音増幅器を備え、スイッチが前記ソース低雑音増幅器と前記ターゲット低雑音増幅器との間で使用される、
を備える、方法。
【請求項２】
前記トランシーバチップは、
送信機と、
一次受信機と、
二次受信機と、
三次受信機と、
四次受信機と
を備え、ここで、各受信機は、複数の低雑音増幅器を備え、各低雑音増幅器は、第１ステージ増幅器および第２ステージ増幅器を備え、
好ましくは、前記第１ステージ増幅器は、相互コンダクタンスステージであり、前記第２ステージ増幅器はカスコードステージである、および／または、前記複数の低雑音増幅器は、第１の帯域についての複数の低雑音増幅器と、第２の帯域についての複数の低雑音増幅器とを備える、請求項１に記載の方法。
【請求項３】
前記第１の帯域は、低い帯域であり、前記第２の帯域は、中間の帯域であるか、または、前記第１の帯域は、低い帯域であり、前記第２の帯域は、高い帯域であるか、または、前記第１の帯域は、中間の帯域であり、前記第２の帯域は、高い帯域である、請求項２に記載の方法。
【請求項４】
第１のルーティングは、一次同相／直交位相信号を取得するために、前記一次アンテナから前記一次受信機を通して使用され、第２のルーティングは、ＴＲｘ同相／直交位相信号を取得するために、前記一次アンテナから前記三次受信機を通して使用され、第３のルーティングは、二次同相／直交位相信号を取得するために、前記二次アンテナから前記二次受信機を通して使用され、第４のルーティングは、ＱＲｘ同相／直交位相信号を取得するために、前記二次アンテナから前記四次受信機を通して使用される、請求項１に記載の方法。
【請求項５】
前記シングルチップ信号分割キャリアアグリゲーション受信機アーキテクチャは、帯域間動作において存在し、前記第１のルーティングは、第１の一次受信機低雑音増幅器を通過し、前記第２のルーティングは、第２の一次受信機低雑音増幅器を通過し、前記第２のルーティングは、前記第１の信号分割ステージを通過し、前記第３のルーティングは、第１の二次受信機低雑音増幅器を通過し、前記第４のルーティングは、第２の二次受信機低雑音増幅器を通過し、前記第４のルーティングは、前記第２の信号分割ステージを通過する、請求項４に記載の方法。
【請求項６】
前記第１の信号分割ステージは、前記一次受信機の低雑音増幅器における第１ステージ増幅器と前記三次受信機の低雑音増幅器における第２ステージ増幅器との間のルーティングを備える、請求項５に記載の方法。
【請求項７】
前記第２の信号分割ステージは、前記二次受信機の低雑音増幅器における第１ステージ増幅器と前記四次受信機の低雑音増幅器における第２ステージ増幅器との間のルーティングを備える、請求項５に記載の方法。
【請求項８】
前記第１の信号分割ステージは、前記一次受信機の低雑音増幅器における第２ステージ増幅器と前記三次受信機におけるミキサとの間のルーティングを備える、請求項５に記載の方法。
【請求項９】
前記第２の信号分割ステージは、前記二次受信機の低雑音増幅器における第２ステージ増幅器と前記四次受信機におけるミキサとの間のルーティングを備える、請求項５に記載の方法。
【請求項１０】
前記シングルチップ信号分割キャリアアグリゲーション受信機アーキテクチャは、帯域内動作において存在し、前記第１のルーティングおよび前記第２のルーティングは、一次受信機低雑音増幅器を通過し、前記第２のルーティングは、前記第１の信号分割ステージを通過し、前記第３のルーティングおよび前記第４のルーティングは、二次受信機低雑音増幅器を通過し、前記第４のルーティングは、前記第２の信号分割ステージを通過する、請求項４に記載の方法。
【請求項１１】
前記第１の信号分割ステージは、前記一次受信機の低雑音増幅器における第１ステージ増幅器と前記三次受信機の低雑音増幅器における第２ステージ増幅器との間のルーティングを備え、好ましくは、前記第２の信号分割ステージは、前記二次受信機の低雑音増幅器における第１ステージ増幅器と前記四次受信機の低雑音増幅器における第２ステージ増幅器との間のルーティングを備える、請求項１０に記載の方法。
【請求項１２】
前記第１の信号分割ステージは、前記一次受信機の低雑音増幅器における第２ステージ増幅器と前記三次受信機におけるミキサとの間のルーティングを備え、好ましくは、前記第２の信号分割ステージは、前記二次受信機の低雑音増幅器における第２ステージ増幅器と前記四次受信機におけるミキサとの間のルーティングを備える、請求項１０に記載の方法。
【請求項１３】
シングルチップ信号分割キャリアアグリゲーション受信機アーキテクチャを使用してマルチプルキャリア信号を受信するための装置であって、
第１の信号を受信するための手段と、
一次同相／直交位相信号を取得するために、前記シングルチップ信号分割キャリアアグリゲーション受信機アーキテクチャにおけるトランシーバチップ上の一次受信機を通って前記第１の信号をルーティングするための手段と、
ＴＲｘ同相／直交位相信号を取得するために、前記トランシーバチップ上の三次受信機を通って前記第１の信号をルーティングするための手段と、ここで、前記一次および三次受信機を通って前記第１の信号をルーティングすることは、第１の信号分割ステージを通って前記第１の信号をルーティングすることをさらに備え、前記第１の信号分割ステージは、ソース低雑音増幅器およびターゲット低雑音増幅器を備え、スイッチが前記ソース低雑音増幅器と前記ターゲット低雑音増幅器との間で使用される、
第２の信号を受信するための手段と、
二次同相／直交位相信号を取得するために、前記トランシーバチップ上の二次受信機を通って前記第２の信号をルーティングするための手段と、
ＱＲｘ同相／直交位相信号を取得するために、前記トランシーバチップ上の四次受信機を通って前記第２の信号をルーティングするための手段と、ここで、前記二次および四次受信機を通って前記第２の信号をルーティングすることは、第２の信号分割ステージを通って前記第２の信号をルーティングすることをさらに備え、前記第２の信号分割ステージは、ソース低雑音増幅器およびターゲット低雑音増幅器を備え、スイッチが前記ソース低雑音増幅器と前記ターゲット低雑音増幅器との間で使用される、
を備える、装置。
【請求項１４】
前記第１ステージ増幅器は、相互コンダクタンスステージであり、前記第２ステージ増幅器は、カスコードステージである、請求項１３に記載の装置。
【請求項１５】
プロセッサによって実行されたとき、前記プロセッサに本願請求項１〜１２のうちのいずれかの前記方法のステップを行わせる命令を備える、非一時的コンピュータ読み取り可能媒体。
【手続補正２】
【補正対象書類名】明細書
【補正対象項目名】００９７
【補正方法】変更
【補正の内容】
【００９７】
[00106]  本願の特許請求の範囲が、上述された、まさにその構成およびコンポーネントに限定されないことが理解されるべきである。様々な修正、変更、および、バリエーションが、本明細書において説明されているシステム、方法、および装置の配置、オペレーション、および、詳細において、特許請求の範囲から逸脱することなく行われ得る。
以下に本願の出願当初の特許請求の範囲に記載された発明を付記する。
[Ｃ１]  マルチプルキャリア信号を受信するために構成されたワイヤレス通信デバイスであって、
一次アンテナと、
二次アンテナと、
トランシーバチップと
を備える、シングルチップ信号分割キャリアアグリゲーション受信機アーキテクチャを備え、ここで、前記シングルチップ信号分割キャリアアグリゲーション受信機アーキテクチャは、同時ハイブリッドデュアル受信機パスを再使用する、
ワイヤレス通信デバイス。
[Ｃ２]  前記シングルチップ信号分割キャリアアグリゲーション受信機アーキテクチャは、４つのアンテナ、電力分割器、外部の低雑音増幅器またはダイトゥーダイ信号のルーティングを要求しない、Ｃ１に記載のワイヤレス通信デバイス。
[Ｃ３]  前記トランシーバチップは、
送信機と、
一次受信機と、
二次受信機と、
三次受信機と、
四次受信機とを備え、ここで、各受信機は、複数の低雑音増幅器を備え、各低雑音増幅器は、第１ステージ増幅器および第２ステージ増幅器を備える、Ｃ１に記載のワイヤレス通信デバイス。
[Ｃ４]  前記第１ステージ増幅器は、相互コンダクタンスステージであり、前記第２ステージ増幅器は、カスコードステージである、Ｃ３に記載のワイヤレス通信デバイス。
[Ｃ５]  前記複数の低雑音増幅器は、第１の帯域についての複数の低雑音増幅器と、第２の帯域についての複数の低雑音増幅器とを備える、Ｃ３に記載のワイヤレス通信デバイス。
[Ｃ６]  前記第１の帯域は、低い帯域であり、前記第２の帯域は、中間の帯域である、Ｃ５に記載のワイヤレス通信デバイス。
[Ｃ７]  前記第１の帯域は、低い帯域であり、前記第２の帯域は、高い帯域である、Ｃ５に記載のワイヤレス通信デバイス。
[Ｃ８]  前記第１の帯域は、中間の帯域であり、前記第２の帯域は、高い帯域である、Ｃ５に記載のワイヤレス通信デバイス。
[Ｃ９]  第１のルーティングは、一次同相／直交位相信号を取得するために、前記一次アンテナから前記一次受信機を通して使用され、第２のルーティングは、ＴＲｘ同相／直交位相信号を取得するために、前記一次アンテナから前記三次受信機を通して使用され、第３のルーティングは、二次同相／直交位相信号を取得するために、前記二次アンテナから前記二次受信機を通して使用され、第４のルーティングは、ＱＲｘ同相／直交位相信号を取得するために、前記二次アンテナから前記四次受信機を通して使用される、Ｃ３に記載のワイヤレス通信デバイス。
[Ｃ１０]  前記シングルチップ信号分割キャリアアグリゲーション受信機アーキテクチャは、帯域間動作において存在し、前記第１のルーティングは、第１の一次受信機低雑音増幅器を通過し、前記第２のルーティングは、第２の一次受信機低雑音増幅器を通過し、前記第２のルーティングは、第１の信号分割ステージを通過し、前記第３のルーティングは、第１の二次受信機低雑音増幅器を通過し、前記第４のルーティングは、第２の二次受信機低雑音増幅器を通過し、前記第４のルーティングは、第２の信号分割ステージを通過する、Ｃ９に記載のワイヤレス通信デバイス。
[Ｃ１１]  前記第１の信号分割ステージは、前記一次受信機の低雑音増幅器における第１ステージ増幅器と前記三次受信機の低雑音増幅器における第２ステージ増幅器との間のルーティングを備える、Ｃ１０に記載のワイヤレス通信デバイス。
[Ｃ１２]  前記第２の信号分割ステージは、前記二次受信機の低雑音増幅器における第１ステージ増幅器と前記四次受信機の低雑音増幅器における第２ステージ増幅器との間のルーティングを備える、Ｃ１０に記載のワイヤレス通信デバイス。
[Ｃ１３]  前記第１の信号分割ステージは、前記一次受信機の低雑音増幅器における第２ステージ増幅器と前記三次受信機におけるミキサとの間のルーティングを備える、Ｃ１０に記載のワイヤレス通信デバイス。
[Ｃ１４]  前記第２の信号分割ステージは、前記二次受信機の低雑音増幅器における第２ステージ増幅器と前記四次受信機におけるミキサとの間のルーティングを備える、Ｃ１０に記載のワイヤレス通信デバイス。
[Ｃ１５]  前記シングルチップ信号分割キャリアアグリゲーション受信機アーキテクチャは、帯域内動作において存在し、前記第１のルーティングおよび前記第２のルーティングは、一次受信機低雑音増幅器を通過し、前記第２のルーティングは、第１の信号分割ステージを通過し、前記第３のルーティングおよび前記第４のルーティングは、二次受信機低雑音増幅器を通過し、前記第４のルーティングは、第２の信号分割ステージを通過する、Ｃ９に記載のワイヤレス通信デバイス。
[Ｃ１６]  前記第１の信号分割ステージは、前記一次受信機の低雑音増幅器における第１ステージ増幅器と前記三次受信機の低雑音増幅器における第２ステージ増幅器との間のルーティングを備える、Ｃ１５に記載のワイヤレス通信デバイス。
[Ｃ１７]  前記第２の信号分割ステージは、前記二次受信機の低雑音増幅器における第１ステージ増幅器と前記四次受信機の低雑音増幅器における第２ステージ増幅器との間のルーティングを備える、Ｃ１５に記載のワイヤレス通信デバイス。
[Ｃ１８]  前記第１の信号分割ステージは、前記一次受信機の低雑音増幅器における第２ステージ増幅器と前記三次受信機におけるミキサとの間のルーティングを備える、Ｃ１５に記載のワイヤレス通信デバイス。
[Ｃ１９]  前記第２の信号分割ステージは、前記二次受信機の低雑音増幅器における第２ステージ増幅器と前記四次受信機におけるミキサとの間のルーティングを備える、Ｃ１５に記載のワイヤレス通信デバイス。
[Ｃ２０]  シングルチップ信号分割キャリアアグリゲーション受信機アーキテクチャを使用してマルチプルキャリア信号を受信するための方法であって、
一次アンテナを使用して第１の信号を受信することと、
一次同相／直交位相信号を取得するために、前記シングルチップ信号分割キャリアアグリゲーション受信機アーキテクチャにおけるトランシーバチップ上の一次受信機を通って前記第１の信号をルーティングすることと、
ＴＲｘ同相／直交位相信号を取得するために、前記トランシーバチップ上の三次受信機を通って前記第１の信号をルーティングすることと、
二次アンテナを使用して第２の信号を受信することと、
二次同相／直交位相信号を取得するために、前記トランシーバチップ上の二次受信機を通って前記第２の信号をルーティングすることと、
ＱＲｘ同相／直交位相信号を取得するために、前記トランシーバチップ上の四次受信機を通って前記第２の信号をルーティングすることと、を備える、方法。
[Ｃ２１]  前記シングルチップ信号分割キャリアアグリゲーション受信機アーキテクチャは、４つのアンテナ、電力分割器、外部の低雑音増幅器またはダイトゥーダイシグナルのルーティングを要求しない、Ｃ２０に記載の方法。
[Ｃ２２]  前記トランシーバチップは、
送信機と、
一次受信機と、
二次受信機と、
三次受信機と、
四次受信機とを備え、ここで、各受信機は、複数の低雑音増幅器を備え、各低雑音増幅器は、第１ステージ増幅器および第２ステージ増幅器を備える、
Ｃ２０に記載の方法。
[Ｃ２３]  前記第１ステージ増幅器は、相互コンダクタンスステージであり、前記第２ステージ増幅器はカスコードステージである、Ｃ２２に記載の方法。
[Ｃ２４]  前記複数の低雑音増幅器は、第１の帯域についての複数の低雑音増幅器と、第２の帯域についての複数の低雑音増幅器とを備える、Ｃ２２に記載の方法。
[Ｃ２５]  前記第１の帯域は、低い帯域であり、前記第２の帯域は、中間の帯域である、Ｃ２４に記載の方法。
[Ｃ２６]  前記第１の帯域は、低い帯域であり、前記第２の帯域は、高い帯域である、Ｃ２４に記載の方法。
[Ｃ２７]  前記第１の帯域は、中間の帯域であり、前記第２の帯域は、高い帯域である、Ｃ２４に記載の方法。
[Ｃ２８]  第１のルーティングは、一次同相／直交位相信号を取得するために、前記一次アンテナから前記一次受信機を通して使用され、第２のルーティングは、ＴＲｘ同相／直交位相信号を取得するために、前記一次アンテナから前記三次受信機を通して使用され、第３のルーティングは、二次同相／直交位相信号を取得するために、前記二次アンテナから前記二次受信機を通して使用され、第４のルーティングは、ＱＲｘ同相／直交位相信号を取得するために、前記二次アンテナから前記四次受信機を通して使用される、Ｃ２２に記載の方法。
[Ｃ２９]  前記シングルチップ信号分割キャリアアグリゲーション受信機アーキテクチャは、帯域間動作において存在し、前記第１のルーティングは、第１の一次受信機低雑音増幅器を通過し、前記第２のルーティングは、第２の一次受信機低雑音増幅器を通過し、前記第２のルーティングは、第１の信号分割ステージを通過し、前記第３のルーティングは、第１の二次受信機低雑音増幅器を通過し、前記第４のルーティングは、第２の二次受信機低雑音増幅器を通過し、前記第４のルーティングは、第２の信号分割ステージを通過する、Ｃ２８に記載の方法。
[Ｃ３０]  前記第１の信号分割ステージは、前記一次受信機の低雑音増幅器における第１ステージ増幅器と前記三次受信機の低雑音増幅器における第２ステージ増幅器との間のルーティングを備える、Ｃ２９に記載の方法。
[Ｃ３１]  前記第２の信号分割ステージは、前記二次受信機の低雑音増幅器における第１ステージ増幅器と前記四次受信機の低雑音増幅器における第２ステージ増幅器との間のルーティングを備える、Ｃ２９に記載の方法。
[Ｃ３２]  前記第１の信号分割ステージは、前記一次受信機の低雑音増幅器における第２ステージ増幅器と前記三次受信機におけるミキサとの間のルーティングを備える、Ｃ２９に記載の方法。
[Ｃ３３]  前記第２の信号分割ステージは、前記二次受信機の低雑音増幅器における第２ステージ増幅器と前記四次受信機におけるミキサとの間のルーティングを備える、Ｃ２９に記載の方法。
[Ｃ３４]  前記シングルチップ信号分割キャリアアグリゲーション受信機アーキテクチャは、帯域内動作において存在し、前記第１のルーティングおよび前記第２のルーティングは、一次受信機低雑音増幅器を通過し、前記第２のルーティングは、第１の信号分割ステージを通過し、前記第３のルーティングおよび前記第４のルーティングは、二次受信機低雑音増幅器を通過し、前記第４のルーティングは、第２の信号分割ステージを通過する、Ｃ２８に記載の方法。
[Ｃ３５]  前記第１の信号分割ステージは、前記一次受信機の低雑音増幅器における第１ステージ増幅器と前記三次受信機の低雑音増幅器における第２ステージ増幅器との間のルーティングを備える、Ｃ３４に記載の方法。
[Ｃ３６]  前記第２の信号分割ステージは、前記二次受信機の低雑音増幅器における第１ステージ増幅器と前記四次受信機の低雑音増幅器における第２ステージ増幅器との間のルーティングを備える、Ｃ３４に記載の方法。
[Ｃ３７]  前記第１の信号分割ステージは、前記一次受信機の低雑音増幅器における第２ステージ増幅器と前記三次受信機におけるミキサとの間のルーティングを備える、Ｃ３４に記載の方法。
[Ｃ３８]  前記第２の信号分割ステージは、前記二次受信機の低雑音増幅器における第２ステージ増幅器と前記四次受信機におけるミキサとの間のルーティングを備える、Ｃ３４に記載の方法。
[Ｃ３９]  シングルチップ信号分割キャリアアグリゲーション受信機アーキテクチャを使用してマルチプルキャリア信号を受信するための装置であって、
第１の信号を受信するための手段と、
一次同相／直交位相信号を取得するために、前記シングルチップ信号分割キャリアアグリゲーション受信機アーキテクチャにおけるトランシーバチップ上の一次受信機を通って前記第１の信号をルーティングするための手段と、
ＴＲｘ同相／直交位相信号を取得するために、前記トランシーバチップ上の三次受信機を通って前記第１の信号をルーティングするための手段と、
第２の信号を受信するための手段と、
二次同相／直交位相信号を取得するために、前記トランシーバチップ上の二次受信機を通って前記第２の信号をルーティングするための手段と、
ＱＲｘ同相／直交位相信号を取得するために、前記トランシーバチップ上の四次受信機を通って前記第２の信号をルーティングするための手段と、
を備える、装置。
[Ｃ４０]  前記シングルチップ信号分割キャリアアグリゲーション受信機アーキテクチャは、４つのアンテナ、電力分割器、外部の低雑音増幅器またはダイトゥーダイ信号のルーティングを要求しない、Ｃ３９に記載の装置。
[Ｃ４１]  前記トランシーバチップは、
送信機と、
一次受信機と、
二次受信機と、
三次受信機と、
四次受信機とを備え、ここで、各受信機は、複数の低雑音増幅器を備え、ここで、各低雑音増幅器は、第１ステージ増幅器および第２ステージ増幅器を備える、
Ｃ３９に記載の装置。
[Ｃ４２]  前記第１ステージ増幅器は、相互コンダクタンスステージであり、前記第２ステージ増幅器は、カスコードステージである、Ｃ４１に記載の装置。
[Ｃ４３]  前記複数の低雑音増幅器は、第１の帯域についての複数の低雑音増幅器と、第２の帯域についての複数の低雑音増幅器を備える、Ｃ４１に記載の装置。